(57)【要約】少なくとも１つの透明基材（２０）、特にはガラス製の少なくとも１つの透明基材（２０）に接合するための光学フィルタリング／電磁スクリーニング構造体（１）であり、少なくとも２枚のプラスチックシート（１０、１２）を含み、かつ導電性の電磁スクリーニング部材（１１）を含むか又はそれを該シート（１０、１２）に接合することを意図された構造体（１）であって、少なくとも一方のシート（１０）が熱可塑性材料から作製され、もう一方のシート（１２）が該導電性部材（１１）又は該熱可塑性シート（１０）を覆うためのシートを構成し、２枚のシートの一方又はその両方が、該構造体（１）に関して、５９０ｎｍを中心とする波長光のためのオレンジフィルターを生成するよう少なくとも１つの無機顔料又は少なくとも１つの有機染料を組み込んでいることを特徴とする、光学フィルタリング／電磁スクリーニング構造体（１）。
2006500603.tif 000002
【特許請求の範囲】
【請求項１】
少なくとも１つの透明基材（２０）、特にはガラス製の少なくとも１つの透明基材（２０）に接合するための光学フィルタリング／電磁スクリーニング構造体（１）であり、少なくとも２枚のプラスチックシート（１０、１２）を含み、かつ導電性の電磁スクリーニング部材（１１）を含むか又はそれを該シート（１０、１２）に接合することを意図された構造体（１）であって、少なくとも一方のシート（１０）が熱可塑性材料から作製され、もう一方のシート（１２）が該導電性部材（１１）又は該熱可塑性シート（１０）を覆うためのシートを構成し、２枚のシートの一方又はその両方が、該構造体（１）に関して、５９０ｎｍを中心とする波長光のためのオレンジフィルターを生成するよう少なくとも１つの無機顔料又は少なくとも１つの有機染料を組み込んでいることを特徴とする、光学フィルタリング／電磁スクリーニング構造体（１）。
【請求項２】
前記シート、即ち、熱可塑性シート（１０）及び／又はカバーシート（１２）のうち少なくとも一方が、８００〜１２５０ｎｍの波長範囲における赤外線フィルターを形成するために、少なくとも１つの無機顔料又は少なくとも１つの有機染料を組み込んでいることを特徴とする、請求項１に記載の構造体。
【請求項３】
前記２枚のシート（１０、１２）のうち一方が中性であり、もう一方のシートが、前記構造体を通してそれぞれ前記オレンジフィルターと前記赤外線フィルターを与える少なくとも２つの顔料又は染料を含むことを特徴とする、請求項２に記載の電磁スクリーニング構造体。
【請求項４】
前記熱可塑性シート（１０）が、前記構造体を通して前記オレンジフィルター又は前記赤外線フィルターを与える顔料又は染料を含み、前記カバーシート（１２）が、もう一方の熱可塑性シート（１０）が与えない該オレンジフィルター又は該赤外線フィルターを与える顔料又は染料を含むことを特徴とする、請求項２に記載の電磁スクリーニング構造体。
【請求項５】
前記導電性部材（１１）が前記２枚のシート（１０、１２）間に接合された金網から形成されたことを特徴とする、請求項１〜４のいずれか１項に記載の構造体。
【請求項６】
前記導電性部材（１１）が、ポリカーボネート、ポリメチル（メタ）アクリレート、ポリエチレンテレフタレート、ポリエーテルスルホン、ポリエーテルケトン、及びアクリロニトリル−スチレンコポリマーのうちの１つをベースとした組成の支持シート上に堆積された金属線メッシュから形成されたことを特徴とする、請求項１〜４のいずれか１項に記載の構造体。
【請求項７】
前記導電性部材のための前記支持シートが前記カバーシート（１２）を構成し、該導電性部材（１１）が、前記熱可塑性の第１シート（１０）と該カバーシート（１２）の間に置かれたことを特徴とする、請求項６に記載の構造体。
【請求項８】
前記導電性部材（１１）を有する前記カバーシート（１２）が、該導電性部材と反対側にポリエチレンテレフタレート（ＰＥＴ）、ポリ塩化ビニル（ＰＶＣ）、ポリプロピレン、又は高密度ポリエチレンから作製された厚さが６０μｍ以下の保護膜（１４）でコーティングされたことを特徴とする、請求項６又は７に記載の構造体。
【請求項９】
前記導電性部材（１１）が、前記カバーシート（１２）により形成される支持シート上に堆積された金属層、例えば、銀をベースとした金属層から形成され、該部材が、該カバーシートと前記熱可塑性の第１シート（１０）の間に置かれたことを特徴とする、請求項１〜４のいずれか１項に記載の構造体。
【請求項１０】
前記導電性部材のための前記支持シートが、前記熱可塑性の第１シート（１０）と前記カバーシート（１２）の間に積層された補足的なプラスチックシート（１３）から形成されたことを特徴とする、請求項６又は９に記載の構造体。
【請求項１１】
前記カバーシート（１２）が前記導電性部材のための支持シートを構成しない場合に、前記熱可塑性の第１シート（１０）と該カバーシート（１２）が、ポリビニルブチラール、ポリウレタン、又はエチレンビニルアセテートから作製されたことを特徴とする、請求項１〜１０のいずれか１項に記載の構造体。
【請求項１２】
前記構造体が１つの透明基材（２０）に接合され、前記熱可塑性の第１シート（１０）が該基材に接合されたことを特徴とする、請求項１〜１１のいずれか１項に記載の構造体。
【請求項１３】
前記構造体が２つの透明基材（２０、２１）の間に積層され、前記熱可塑性シート（１０）と前記カバーシート（１２）のそれぞれが、該基材（２０、２１）のそれぞれに接合されたことを特徴とする、請求項１〜１１のいずれか１項に記載の構造体。
【請求項１４】
前記導電性部材（１１）が前記構造体に接合される場合にそれを形成するよう、前記透明基材（２０）が前記熱可塑性シートに面する面上に金属層、例えば、銀をベースとした金属層を有することを特徴とする、少なくとも１つの透明基材（２０）に接合された請求項１２又は１３に記載の構造体。
【請求項１５】
前記構造体が、構造体／１つ又は複数の基材アセンブリに関して、２２％以下の対応する光透過率ＴＩＲを有する赤外線フィルターと、２０％〜４０％の対応する光透過率ＴＮＥを有するオレンジフィルターとを提供し、該構造体／１つ又は複数の基材アセンブリが、３％未満の純度で以って４０％〜６０％の可視光の光透過率を有することを特徴とする、請求項１２又は１３に記載の構造体。
【請求項１６】
前記赤外線フィルターが、確実に８１５ｎｍでの透過率を最大２２％、８７０ｎｍでの透過率を最大１８％、及び９００〜１２５０ｎｍでの透過率を最大１２％にすることを特徴とする、請求項１５に記載の電磁スクリーニング構造体。
【請求項１７】
ディスプレイスクリーン、特にはプラズマスクリーンであって、その前面（２）の上に請求項１２〜１６のいずれか１項に記載の構造体（１）を有する、ディスプレイスクリーン、特にはプラズマスクリーン。
【請求項１８】
前記ガラス基材（２０、２１）の少なくとも一方が強化ガラスから作製されたことを特徴とする、請求項１７に記載のスクリーン。
【請求項１９】
前記ガラス基材（２０、２１）の少なくとも一方が、前記構造体と反対側の面上に反射防止コーティングを有することを特徴とする、請求項１７又は１８に記載のスクリーン。
【請求項２０】
前記カバーシート（１２）が、前記熱可塑性の第１シート（１０）と反対側の面上に反射防止コーティングを有することを特徴とする、請求項１７〜１９のいずれか１項に記載のスクリーン。
【請求項２１】
前記構造体（１）が、前記スクリーンの前面に直接接着結合されたことを特徴とする、請求項１７〜２０のいずれか１項に記載のスクリーン。
【発明の詳細な説明】
【技術分野】
【０００１】
本発明の主題は、少なくとも１つの透明基材、特にはガラス製の少なくとも１つの透明基材に接合するための光学フィルタリング／電磁スクリーニング構造体であって、少なくとも２枚のプラスチックシートを含み、かつ導電性の電磁スクリーニング部材を含むか又はそれを該シートに接合することを意図された構造体である。
【０００２】
本発明は、より詳しくは、ディスプレイスクリーン、例えば、プラズマスクリーンのためのこのような電磁スクリーニング構造体の使用に関して記載される。
【背景技術】
【０００３】
プラズマスクリーンは、２枚のガラスシート間に閉じ込められたプラズマガス混合物（Ｎｅ、Ｘｅ、Ａｒ）と、スクリーンの背面シート内側に配置された蛍光体とを含む。２枚のガラスシート間におけるプラズマ放電の際にプラズマガス混合物によって発せられた紫外線が、可視光線（赤、緑又は青）を作り出すよう背面シート内側の蛍光体と相互に作用する。８００〜１２５０ｎｍの赤外線を発生させる気体粒子の脱励起機構がＵＶ放射と争い、主としてスクリーンの前面を通ってこの赤外線が伝播することにより、特に付近の赤外線制御装置、例えば、遠隔制御装置に関して相当な障害が生じることがある。
【０００４】
プラズマガスの脱励起によって生成される赤外線に加えて、混合ガスにネオンが含まれる場合には、５９０ｎｍでのオレンジの強い放射線が混合ガスによって発せられる。このオレンジの放射線は、視聴者の目には不快な場合がある。さらに、それは青色及び緑色の光スペクトルと相互に作用し、その結果、色のあせた又は薄れた及び鮮明でない赤色と称されることのある青色と緑色を有する画像をディスプレイスクリーン上に与える。
【０００５】
さらには、すべての電子器具と同様、プラズマスクリーンは、妨害してはいけない他のデバイス、例えば、マイクロコンピュータ、携帯電話などに関して寄生的な放射線を発生することができるアドレス指定方式（ドライバ）を有する。
【０００６】
この放射線の伝播を排除又は少なくとも低減するためには、１つの解決法は、電磁スクリーニングを提供するよう、スクリーンの前面に接して透明かつ金属化された構造体を設けることにある。
【０００７】
１つの公知タイプの構造体は、熱可塑性材料、特にはＰＶＢの２枚のシートから成り、その間には、均質なグリッド形態の金属線配列が設けられている。
【０００８】
このグリッドは、熱可塑性材料を加熱することにより２枚のＰＶＢシート間に接着結合される金網から形成することができる。
【０００９】
別の解決法は、標準的な写真平板技術を用いてＰＥＴなどの透明基材上に堆積した銅層をエッチングし、この基材をＰＶＢシートに接合することにあり、該ＰＥＴ基材は２枚のＰＶＢシート間に挿入され、熱可塑性材料を加熱することにより結合される。
【００１０】
ＰＶＢをディスプレイスクリーンの前面に配置したこの有利に積層された構造は、その前面がガラス基材であるが、万一スクリーンが破損した場合にはガラス断片を保持することにより視聴者を保護する。
【００１１】
これによって、金網が電磁スクリーニングを提供する。しかしながら、赤外線の透過をさらに低減することによって電磁スクリーニングフィルターの性能を改善すること、及び他のフィルタリング特性、例えば、オレンジ色の相当量をカットする能力を見出すことが常に望ましい。さらには、当然ながら、スクリーン上で視聴者に知覚される演色を最適にすることが望ましい。
【００１２】
ある一定の波長をカットする公知タイプの自動車窓用フィルターは、その一方が「Ｓｏｌａｒ Ｒｅｆｌｅｃｔｉｖｅ Ｆｉｌｍ」と呼ばれる３Ｍの製品から成り、もう一方が積水により販売されているＳｅｋｉｓｕｉ Ｓ−Ｌｅｃ（登録商標）ＰＶＢ膜から成る２枚のＰＶＢシートの組み合わせである。３Ｍの製品と積水のＰＶＢ膜は透明でかつ中間の透過率であり、積水の膜は導電性粒子をさらに含有している。このフィルターには、光を５１％だけ透過するという利点があるが、この光は主としてその主波長が５６１ｎｍの黄色であり、ディスプレイスクリーン上の演色が有意に改質される。光はまた、７％以下の所望レベルと比較して有意であるとみなされる８％の純度を有する。この純度は１９３１ ＣＩＥ測定系に規定されることが想起されよう。この系においては、物体の色は座標ｘ、ｙを用いて点により表される。純度は、それぞれ光源とスペクトル軌跡の端部を結びかつ座標点ｘ、ｙを通る線分と、光源と座標点ｘ、ｙを結ぶ線分の長さ比である。さらには、このフィルターにより、１２００ｎｍでの赤外線の透過を多くとも５％にすることができるが、８５０ｎｍでの透過は依然として１３％のままである。最終的に、オレンジ色は十分にはカットされず、対応する波長についての透過は６４％である。
【発明の開示】
【発明が解決しようとする課題】
【００１３】
それゆえ、本発明の目的は、光学フィルタリング／電磁スクリーニング構造体であって、一方で５９０ｎｍを中心とするオレンジ色の波長を十分にカットすることができ、もう一方で色の純度を変化させず、またこのような構造体が関係するディスプレイスクリーン上の可視画像のコントラストを最適化するのに好適な透過光を得ることによって赤外線のフィルター性能をさらに高めることができる光学フィルタリング／電磁スクリーニング構造体を提供することである。
【課題を解決するための手段】
【００１４】
したがって、本発明者らは、電磁スクリーニング構造体であって、少なくとも一方のシートが熱可塑性材料から作製され、もう一方のシートが導電性部材又は熱可塑性シートを覆うためのシートを構成し、２枚のシートの一方又はその両方が、該構造体に関して、５９０ｎｍを中心とする波長光のためのオレンジフィルターを生成するよう少なくとも１つの無機顔料又は少なくとも１つの有機染料を組み込んでいることを特徴とする、電磁スクリーニング構造体を作り出した。
【００１５】
１つの特徴によれば、これらのシート、即ち、熱可塑性シート及び／又はカバーシートのうち少なくとも一方は、８００〜１２５０ｎｍの波長範囲における赤外線フィルターを形成するために、少なくとも１つの無機顔料又は少なくとも１つの有機染料を組み込んでいる。
【００１６】
１つの実施態様によれば、２枚のシートのうち一方は中性であり、もう一方のシートは、構造体を通してそれぞれオレンジフィルターと赤外線フィルターを与える少なくとも２つの顔料又は染料を含む。
【００１７】
別の実施態様によれば、熱可塑性シートは、構造体を通してオレンジフィルター又は赤外線フィルターを与える顔料又は染料を含み、カバーシートは、もう一方の熱可塑性シートが与えないオレンジフィルター又は赤外線フィルターを与える顔料又は染料を含む。
【００１８】
第１の変形態様によれば、導電性部材は２枚のシート間に接合された金網から形成される。
【００１９】
第２の変形態様によれば、導電性部材は、その組成が、ポリカーボネート、ポリメチル（メタ）アクリレート、ポリエチレンテレフタレート、ポリエーテルスルホン、ポリエーテルケトン、及びアクリロニトリル−スチレンコポリマーのうちの１つをベースとした支持シート上に堆積された金属線メッシュから形成される。
【００２０】
有利には、この第２の変形態様によれば、導電性部材のための支持シートはカバーシートを構成し、該導電性部材は、熱可塑性の第１シートと該カバーシートの間に置かれる。
【００２１】
好ましくは、導電性部材を有するカバーシートは、導電性部材と反対側にポリエチレンテレフタレート（ＰＥＴ）、ポリ塩化ビニル（ＰＶＣ）、ポリプロピレン、又は高密度ポリエチレンから作製された厚さが６０μｍ以下の保護膜でコーティングされる。
【００２２】
第３の変形態様によれば、導電性部材は、カバーシートにより形成される支持シート上に堆積された金属層、例えば、銀をベースとした金属層から形成され、該部材は、カバーシートと熱可塑性の第１シートの間に置かれる。
【００２３】
別の特徴によれば、導電性部材のための支持シートは、熱可塑性の第１シートとカバーシートの間に積層された補足的なプラスチックシートから形成される。
【００２４】
有利には、カバーシートが導電性部材のための支持シートを構成しない場合に、熱可塑性の第１シートとカバーシートは、ポリビニルブチラール、ポリウレタン、又はエチレンビニルアセテートから作製される。
【００２５】
構造体は１つの透明基材に接合することができ、熱可塑性の第１シートが該基材に接合される。
【００２６】
別の変形態様によれば、構造体は２つの透明基材の間に積層することができ、熱可塑性シートとカバーシートのそれぞれが該基材のそれぞれに接合される。
【００２７】
１つの特徴によれば、透明基材は、導電性部材が構造体に接合される場合にそれを形成するよう、熱可塑性シートに面する面上に金属層、例えば、銀をベースとした金属層を有する。
【００２８】
こうして、構造体は、構造体／１つ又は複数の基材アセンブリに関して、１７％以下の対応する光透過率ＴＩＲを有する赤外線フィルターと、２０％〜４０％の対応する光透過率ＴＮＥを有するオレンジフィルターとを提供し、該構造体／１つ又は複数の基材アセンブリは、７％未満の純度で以って４０％〜６０％の可視光の光透過率を有する。
【００２９】
より詳しくは、赤外線フィルターは、確実に８１５ｎｍでの透過率を最大１７％、８７０ｎｍでの透過率を最大９％、及び９００〜１２５０ｎｍでの透過率を最大９％にする。
【００３０】
本発明の構造体は、例えば、プラズマスクリーンなどのディスプレイスクリーンの前面と組み合わせることができる。この構造体はまた、電磁スクリーニング並びに赤外線及びオレンジのフィルターを必要とする任意のデバイスと組み合わせることもできる。
【００３１】
ディスプレイスクリーンの場合には、構造体が接合された１つ又は複数のガラス基材は強化ガラスから作製される。好ましくは、ガラス基材のうち少なくとも１つは、構造体と反対側の面上に反射防止コーティングを有する。有利には、カバーシートは、熱可塑性の第１シートと反対側の面上に反射防止コーティングを有する。最後に、構造体は、スクリーンの前面に直接接着結合することができる。
【００３２】
本発明の他の特徴及び利点は、添付図面とともに以下の説明より明らかになる。
【発明を実施するための最良の形態】
【００３３】
第一に、本発明の部材の様々な寸法、特には厚さの相対的な比率は、検討を容易にするため、図面において一定の縮尺で描かれていないことを指摘すべきである。
【００３４】
図１及び図２に示される光学フィルタリング／電磁スクリーニング構造体１は、少なくとも１つの透明基材、例えば、ガラス基材に接合することができ、該基材は、より詳しくは該構造体がスクリーンのためにオレンジフィルター、補足的には必要に応じて赤外線フィルターを構成するよう、ディスプレイスクリーンとともに機械的に組み立てられることを意図している。
【００３５】
ディスプレイスクリーンは、例えば、プラズマスクリーンであり、プラズマスクリーンは、特にはスクリーンの混合ガス中に含まれるネオンのためにオレンジの放射線を発する。しかしながら、この構造体の使用はプラズマスクリーンに限定されず、それはオレンジフィルターを必要とする任意のデバイスに関して使用できかつそれと組み合わせることができる。
【００３６】
光学フィルタリング／電磁スクリーニング構造体１は、熱可塑性の第１シート１０とプラスチックの第２シート１２とを含み、該プラスチックの第２シート１２は、それと組み合わせられる部材のためのカバーシートを構成する。導電性電磁スクリーニング部材１１がこの２枚のシート１０及び１２の間に置かれるか、又はそれがこの構造体の内部に含まれない場合にはこれらのシートに接合することを意図される。
【００３７】
導電性部材１１は、第１の実施態様によれば、銅製のタイプの金網であることができ、それは２枚のシート１０及び１２の間に挿入され、２枚のシートを加熱することにより互いに接合される。この場合には、カバーシート１２は、第１シート１０と同じ材料、即ち、ポリビニルブチラール、ポリウレタン又はエチレンビニルアセテートから作製されることが好ましい。
【００３８】
第２の実施態様によれば、導電性部材１１は、ポリカーボネート、ポリメチル（メタ）アクリレート、ポリエチレンテレフタレート、ポリエーテルスルホン、ポリエーテルケトン、及びアクリロニトリル−スチレンコポリマーのうちの１つをベースとしたプラスチック製の支持シート上に標準的な写真平板技術によって得られた銅製のタイプの金属線メッシュである。
【００３９】
この第２の変形態様においては、導電性部材１１のための支持シートは、有利には該導電性部材が２枚のシート間に配置されるよう第１シート１０に接合されるカバーシート１２であることができ、これらのシートは材料を加熱することにより互いに接合される（図１）。あるいはまた、その代わりに、導電性部材１１のための支持シートは、第１シート１０と第２シート１２の間に積層された補足シート１３から形成することができ、その場合、これらのシートは両方とも、以下の熱可塑性材料、即ち、ポリビニルブチラール、ポリウレタン、又はエチレンビニルアセテートのうちの１つから作製されることが好ましい（図２）。
【００４０】
第３の変形態様によれば、導電性部材１１は、ポリカーボネート、ポリメチル（メタ）アクリレート、ポリエチレンテレフタレート、ポリエーテルスルホン、ポリエーテルケトン、及びアクリロニトリル−スチレンコポリマーのうちの１つをベースとしたプラスチック製の支持シート上に堆積された銀をベースとした層である。この支持シートは、有利にはカバーシート１２であることができ、この銀をベースとした層が２枚のシート１０及び１２の間に置かれる（図１）。
【００４１】
電磁スクリーニング部材を構成する導電性部材１１が構造体１に組み込まれず、それに接合される場合には、該部材は、例えば、構造体が向けられる基材上に堆積された銀をベースとした層などの金属層の形態であり、該層は基材に接合された第１シート１０に面している。これは図５の例であり、この図は導電性部材１１が設けられた面を有する基材２０を示しており、この基材に第１熱可塑性シート１０とカバーシート１２を含む構造体１が接合される。カバーシートにより、シート１０で果たされる１つ又は複数の機能以外の機能を提供することができるか、又は例えばシート１０が容易に引っ掻くことのできる材料から作製された場合にそれを保護することができるか、又は基材に接して置かれた部材へのシート１０の接合をより容易にすることができる。
【００４２】
より優れた電磁スクリーニングのためには、導電性部材は金属層よりはむしろ金属線メッシュであることが好ましい。
【００４３】
本発明による光学フィルターは以下のようにして得られる。即ち、２枚のシート１０及び１２の一方若しくは他方又はその両方は、５９０ｎｍ波長の光に対応するオレンジフィルターを構成するために、少なくとも１つの無機顔料又は少なくとも１つの有機染料を含む。Ｇｅｎｔｅｘにより販売されている製品ＦＩＬＴＲＯＮ Ａ１７８又はＡ１９３は、オレンジフィルターを形成するためにポリマーシートに組み込むことのできる染料の例である。
【００４４】
熱可塑性の第１シート１０は、ポリビニルブチラール、ポリウレタン、又はエチレンビニルアセテートから作製される。
【００４５】
カバー第２シート１２は、オレンジフィルターの機能以外の、このシートによって提供される機能に応じたプラスチックから作製される。材料の例は、導電性部材に関する当該変形態様に従って上記された。
【００４６】
本発明によれば、構造体１はまた、赤外線フィルターを構成するための手段を含むことができる。オレンジフィルターの場合と同様、少なくとも１つの顔料又は少なくとも１つの染料を、赤外線フィルターを形成するために、構造体のシート１０又は１２の一方又は両方のシートに組み込むことができる。赤外線フィルターのための染料の例は、Ｇｅｎｔｅｘにより販売されている製品ＦＩＬＴＲＯＮ Ａ１９５又はＡ１０１である。
【００４７】
こうして、シート１０若しくは１２の少なくとも一方、又は補足シート１３が２枚のシート１０及び１２の間に積層される場合には少なくとも補足シート１３は、構造体１が一方で８００〜１２５０ｎｍの波長に対応する赤外線フィルターと、もう一方で５９０ｎｍを中心とする波長に対応するオレンジフィルターとを構成するように、少なくとも１つの顔料及び／又は少なくとも１つの染料を含む。
【００４８】
赤外線及びオレンジフィルターのための染料又は顔料の組み込みに関して、構造体の他の実施態様を幾つか考えることができる。
【００４９】
赤外線フィルターのための染料又は顔料とオレンジフィルターのための染料又は顔料の両方が、シート１０、１２又は１３のうち１つに組み込まれ、染料又は顔料を含有しない１つ又は複数のシートは薄い色であることが好ましい。
【００５０】
変形態様として、赤外線フィルターのための染料又は顔料は、シート１０、１２又は１３の１つに組み込まれるのに対し、オレンジフィルターのための染料又は顔料は、赤外線フィルターのための染料又は顔料を含有していないシートに組み込まれる。
【００５１】
最後に、本発明によれば、カバーシート１２は、導電性部材１１がこのシートによって支持されている場合にその導電性部材１１を設けた面と反対側の面上に保護膜１４を有する。この膜は、ポリエチレンテレフタレート（ＰＥＴ）、ポリ塩化ビニル（ＰＶＣ）、ポリプロピレン又は高密度ポリエチレンのシートの形態である。その厚さは６０μｍ以下である。第一に、シートが配送のためにロールの形態であるときには、この保護膜は、導電性部材を有する面と反対側の面を保護して導電性部材によってこの面が引っ掻かれるのを避けるようにすることができる。第二に、この保護膜は、カバーシートを別の表面に接合することを目的としてきれいな表面を作り出すのに利用できる。
【００５２】
それゆえ、上記の構造体１は、ディスプレイスクリーンＥの前面２、即ち、視聴者の方に向いた部分を形成するために、透明基材２０、例えば、ガラス基材に接合することができるか、又はガラスタイプの透明基材２０及び２１の間に積層することができる。
【００５３】
スクリーンの前面を組み立てる１つの例（例１）は、１つの基材２０に構造体１を接合することによって得られ、
・視聴者に面する基材２０、
・基材２０に接合されたＰＶＢ製の熱可塑性第１シート１０、及び
・一方の側で第１シート１０に接合され、もう一方の側でスクリーンＥに面しているＰＥＴ製のカバーシート１２上に置かれた導電性電磁スクリーニング部材１１
を含む（図３）。
【００５４】
スクリーンの前面を組み立てる別の例（例２）は、２つの基材２０及び２１の間に積層された構造体１によって得られ、
・視聴者に面するガラス基材２０、
・第１ガラス基材２０に接合されたＰＶＢ製の熱可塑性第１シート１０、
・ＰＥＴ製の補足シート１３上に堆積された導電性電磁スクリーニング部材１１、及び
・面の一方を補足シート１３に接合され、その反対側の面を第２ガラス基材２１に接合されたＰＶＢ製のカバー第２シート１２
を含む。
【００５５】
例１と例２においては、構造体／１つ又は複数の基材アセンブリは、金属フレーム（図示せず）によってスクリーンに機械的に固定される。
【００５６】
１つの基材に接合された構造体（例１）又は２つのガラス基材２０及び２１の間に積層された構造体（例２）内に形成されるフィルターであって、５９０ｎｍのネオン線を吸収するためにＦＩＬＴＲＯＮ Ａ１９５又はＡ１０１の染料を組み込み、赤外線を吸収するためにＦＩＬＴＲＯＮ Ａ１７８又はＡ１９３の染料を組み込んだフィルターは、以下の光透過率特性によって規定される。
・８１５ｎｍでの透過率ＴＩＲが最大２２％；
・８７０ｎｍでの透過率ＴＩＲが最大１８％；
・９００〜１２５０ｎｍでの透過率ＴＩＲが最大１２％；及び
・５９０ｎｍでの透過率ＴＮＥが２０〜４０％
【００５７】
オレンジ及び赤外線フィルターのための染料又は顔料を関連させ、場合により可視光において吸収性の他の顔料又は染料と組み合わせることで、その光透過率ＴＬが４８０〜５２０ｎｍの主波長に関して約４０〜６０％でありかつ３％未満の純度と関連する、２つのガラス基材に接合された構造体１が得られる。他の顔料又は染料による３％未満の純度によって、透過率において中性の色の１つであるグレーフィルターを得ることができる。
【００５８】
赤外線透過率の特性は、可視光領域での光透過率によって評価される。例えば、約１６％の高い赤外線透過率を有するフィルターは、必然的に可視光領域での高透過率（約４７％）に対応している。それゆえ、赤外領域での透過率と可視光領域での透過率の間で妥協されることになる。しかしながら、オレンジ領域での透過率は、可視光領域におけるフィルターの光透過率に関係なく採用することができる。
【００５９】
オレンジ及び赤外線フィルターを使用することで、観察者により知覚される色が緑などの主張色であることができる構造体が得られる。この色を補うようスクリーン上に与えられる色の色調を弱めない中性のグレー色を得るため、上記のように他の顔料若しくは染料が添加されるか、又は可視光を吸収しかつ積層グレージングユニットにおいて通常用いられる着色ＰＶＢタイプのインサートが加えられる。
【００６０】
図６で与えられるもの（例３）は、例１に従って作製されたスクリーンのための光学フィルターの他の使用であり、それは、保護膜１４が存在するのであればそれを取り除いた後、カバーシート１２を介して接着剤若しくは樹脂又は当業者に公知の他の任意の手段によりスクリーン前面の基材に直接結合された特定の特徴を有する。この組み立て方法の利点は、光インターフェースを排除しかつ寄生反射のレベルを下げるということである。
【００６１】
構造体が１つ又は２つのガラス基材にそれぞれ接合された３つの実例、好ましくは最も特にただ１つのガラス基材を有する実例においては、１つ又は複数のガラス基材は、強化ガラスから作製されている。強化ガラスは機械的に非常に強く、破壊することが非常に困難である。したがって、第１及び第３の実例において、全フィルターの厚さ、即ち、スクリーン、構造体１及びガラス基材２０の厚さは、有利には、視聴者を保護するという特性をなお有しながら、２つのガラス基材を含む第２の実例のフィルター厚さよりも薄くすることができる。
【００６２】
さらには、これら３つの実例においては、１つ又は複数のガラス基材は、構造体１と反対側の外面を反射防止コーティングでコーティングされることが好ましい。例１又は例３の場合には、ＰＥＴカバーシート１２は、有利には感熱性又は紫外線架橋性の樹脂を用いた反射防止コーティングを含むことができる。
【図面の簡単な説明】
【００６３】
【図１】本発明の構造体の断面図である。
【図２】本発明の構造体の他の実施態様の断面図である。
【図３】いくつかの実施態様に従ってディスプレイスクリーンの前面と組み合わせた本発明の構造体の断面図である。
【図４】いくつかの実施態様に従ってディスプレイスクリーンの前面と組み合わせた本発明の構造体の断面図である。
【図５】本発明の構造体の他の実施態様の断面図である。
【図６】いくつかの実施態様に従ってディスプレイスクリーンの前面と組み合わせた本発明の構造体の断面図である。
【図１】
2006500603.tif 000003
【図２】
2006500603.tif 000004
【図３】
2006500603.tif 000005
【図４】
2006500603.tif 000006
【図５】
2006500603.tif 000007
【図６】
2006500603.tif 000008
【国際調査報告】
2006500603.tif 000009
2006500603.tif 000010
2006500603.tif 000011
2006500603.tif 000012
2006500603.tif 000013
2006500603.tif 000014